(57)【特許請求の範囲】
【請求項１】
下面及び／又は上面で開放せる中空状枠体（２）の上面が全周にわたって段状に屈曲されて凸又は凹状の段部（３）をなし、該枠体（２）の外縁及び内縁で略垂直状をなす外周リブ（４）と内周リブ（５）との下端間に段差を設けて枠体（２）の下面に上記凸又は凹状の段部（３）と適合する凹又は凸状の段部（６）を形成するとともに、外周リブ（４）と内周リブ（５）間にリブ（７）を設けた嵩上げブロックであって、前記外周リブ（４）と内周リブ（５）との間で周方向に沿って略垂直状をなす主リブ（７ａ）の上部外側を上記上面の凸状の段部（３）を形成する屈曲部（３ａ）となすか、又は上部内側を上記上面の凹状の段部（３）を形成する屈曲部（３ａ）となし、且つ、主リブ（７ａ）の下部内側を上記下面の凹状の段部（６）を形成する屈曲部（６ａ）となすか、又は下部外側を上記下面の凸状の段部（６）を形成する屈曲部（６ａ）となして、該両屈曲部（３ａ），（６ａ）を主リブ（７ａ）の軸内に位置せしめてなることを特徴とする地中埋設枠用の嵩上げブロック。
【請求項２】
屈曲部（３ａ），（６ａ）の上端及び／又は下端が主リブ（７ａ）の軸内で段差面（３ｂ），（６ｂ）と連設する請求項１記載の地中埋設枠用の嵩上げブロック。
【請求項３】
枠体（２）の上面に周方向に沿って接着剤塗布用ノズル（９）の案内用の溝又は突条をなすガイド（８）が設けられた請求項１又は請求項２記載の地中埋設枠用の嵩上げブロック。
【発明の詳細な説明】
【０００１】
【発明の属する技術分野】
本発明はマンホール、桝、弁（栓）室等、各種の地中構造体を形成すべく多段に組積される地中埋設枠間に介在されて地中構造体の高さ調節に使用される地中埋設枠用の嵩上げブロックに関するものである。
【０００２】
【従来の技術】
従来、この種の嵩上げブロックとしては、本出願人が先に提案した実公昭５９−７４２５号公報に記載されたものがある。この従来の嵩上げブロック１０は、図１０（イ）にその要部を示す如く、下面が開放せる任意形状の中空状枠体２０の上面が全周にわたって段状に屈曲されて凸状の段部３０をなし、該枠体２０の外縁及び内縁で垂下せる外周リブ４０と内周リブ５０との下端間に段差を設けて枠体２０の下面に上記凸状の段部３０と適合する凹状の段部６０を形成するとともに、外周リブ４０と内周リブ５０間にリブ７０を設けてなる。又、前記外周リブ４０と内周リブ５０との略中間部で周方向に沿って垂下する中間リブ７０ａの下部内側のみが上記下面の凹状の段部６０を形成する屈曲部６０ａの全容をなしている。
【０００３】
【発明が解決しようとする課題】
しかしながら、かかる従来の嵩上げブロック１０は、中間リブ７０ａの上部が略水平で、上面の凸状の段部３０を形成する屈曲部３０ａの殆どが中間リブ７０ａの軸（図１０に破線で示す）内に位置せず、上面で凸状をなす段部３０と連設されていることから、図１０（ロ）の如く、当該嵩上げブロック１０が積み重ねられて使用される際、上側と下側の嵩上げブロック１０の中間リブ７０ａどうしが上下方向に連続する部位は、その下端面にある僅かな段差面６０ｂだけとなり、屈曲部３０ａ，６０ａの上下方向における構造で安定性を欠いていた。而して上面の段部３０を形成する屈曲部３０ａより外周側の下部分で、その上方から作用する走行車両等による鉛直荷重や衝撃力を支持して下ブロックに伝達すべき中間リブ７０ａの段差面６０ｂが短小であること、並びに屈曲部３０ａより内周側の上部分で前記荷重や衝撃力を受承して下ブロックに伝達すべき屈曲部３０ａの上部が中間リブ７０ａの軸外にあることが相乗して、上記屈曲部３０ａ付近にせん断力が発生し、該所の強度を低下させる問題があった。即ち、中間リブ７０ａ自体の厚み不足と相俟って、上方からの荷重等に対して中間リブ７０ａが有効に作用しないという欠点があった。
本発明はかかる従来の課題を解決するために、積み重ね使用時に上方から作用する大なる荷重や衝撃力に対して十分抵抗し得る中空状で高強度の地中埋設枠用の嵩上げブロックを提供することを目的とするものである。
【０００４】
【課題を解決するための手段】
上記課題を解決するため、本発明地中埋設枠用の嵩上げブロックは、下面及び／又は上面で開放せる中空状枠体２の上面が全周にわたって段状に屈曲されて凸又は凹状の段部３をなし、該枠体２の外縁及び内縁で略垂直状をなす外周リブ４と内周リブ５との下端間に段差を設けて枠体２の下面に上記凸又は凹状の段部３と適合する凹又は凸状の段部６を形成するとともに、外周リブ４と内周リブ５間にリブ７を設けた嵩上げブロックであって、前記外周リブ４と内周リブ５との間で周方向に沿って略垂直状をなす主リブ７ａの上部外側を上記上面の凸状の段部３を形成する屈曲部３ａとなすか、又は上部内側を上記上面の凹状の段部３を形成する屈曲部３ａとなし、且つ、主リブ７ａの下部内側を上記下面の凹状の段部６を形成する屈曲部６ａとなすか、又は下部外側を上記下面の凸状の段部６を形成する屈曲部６ａとなして、該両屈曲部３ａ，６ａを主リブ７ａの軸内に位置せしめてなることを特徴とするものである。
【０００５】
かかる構成からなる本発明によれば、上下に積み重ねて使用される際、上側、下側の嵩上げブロック１の主リブ７ａどうしが、それぞれ上面、下面の段部３，６を形成する段状の屈曲部３ａ，６ａ間で凹凸嵌合して上下に連続した状態、即ち、主リブ７ａどうしの軸が同軸状に連なるとともに、該軸内に位置する屈曲部３ａ，６ａの嵌合で、かかる主リブ７ａどうしが上下方向で直線状に連結された状態となり、例え上方から荷重や衝撃力が加わっても上下に連続する主リブ７ａでこれを支持し、且つ偏心荷重を生じせしめず中心軸力として下方に伝達することができ、屈曲部３ａ，６ａ付近でせん断破壊等が生じることがない安定且つ強固な構造を得ることができる。
【０００６】
又、本発明地中埋設枠用の嵩上げブロックは、上記嵩上げブロック１において、屈曲部３ａ，６ａの上端及び／又は下端が主リブ７ａの軸内で段差面３ｂ，６ｂと連設するようになされていると、上下に積み重ねて使用される際、上側、下側の嵩上げブロック１の主リブ７ａどうしの連結面に水平面からなる段差面３ｂ，６ｂが付加されて、主リブ７ａ軸内での屈曲部３ａ，６ａの凹凸嵌合が更に確実になるとともに、前記荷重の支持及び伝達作用も顕著となり、より一層安定且つ強固な構造が得られる。しかも、他のリブと異なり上記段差面３ｂ，６ｂと連設する分、主リブ７ａ自体の厚みを厚くしてその強度向上が図れる。
【０００７】
又、本発明地中埋設枠用の嵩上げブロックは、上記嵩上げブロック１において、枠体２の上面に周方向に沿って接着剤塗布用ノズル９の案内用の溝又は突条をなすガイド８が設けられていると、使用時に嵩上げブロック１上に組積されるブロックとの固着一体化に際し、下側の嵩上げブロック１の上面に設けたガイド８の延設方向に沿って接着剤塗布用ノズル９を移動させる簡単な作業で所定位置に接着剤を正確に塗布して、上側のブロックと下側の嵩上げブロック１を固着できる。
【０００８】
【発明の実施の形態】
以下、図面を参照しながら本発明の実施の形態を実施例に基き説明する。
図面において、１は本発明の嵩上げブロックであって、合成樹脂や金属、或いはこれらの複合体等により一体成型された中空状枠体２からなる。該枠体２は例えば図１の如き隅丸方形状枠や、その他方形状、円形状、だ円形状、半円形状、多角形状等の適宜形状の枠状となされればよい。又、該中空状枠体２は通常図１乃至図４及び図７に示す如く下面が開放されるが、図５に示す如き上面や、図６（イ）、（ロ）に示す如く上面及び下面が開放されてもよい。
【０００９】
上記枠体２の上面は全周にわたって段状に屈曲されることにより凸又は凹状の段部３をなす。該段部３は、図１、図２、図４乃至図７に示す各実施例では、上面全周にわたってその幅方向の略中央部に段状の屈曲部３ａが設けられ、該屈曲部３ａから内側が凸状に形成されている。又、図３に示す実施例では、上記とは逆に中央部の屈曲部３ａから内側が凹状に形成されている。尚、段部３を形成する屈曲部３ａは必ずしも上面の幅方向の略中央部に限らず、幅方向の任意位置に設けてもよい。
【００１０】
上記枠体２の外縁及び内縁には略垂直状をなす外周リブ４及び内周リブ５が設けられている。該外周リブ４及び内周リブ５は、図１及び図３に示す各実施例では枠体２の幅及び長さ方向で夫々略同高さとなされて枠体２の上面と下面が平行面となされ、図４に示す実施例では枠体２の幅又は長さ或いは径方向で異なる高さとなされて枠体２の上面と下面が非平行面になされている。即ち、枠体２の幅又は長さ或いは径方向にわたる外周リブ４と内周リブ５の高さの変化によって、当該嵩上げブロック１上に組積される上部ブロックの傾き調整を可能となす。なお、図２、図３、図５乃至図７の実施例に示す各枠体２の上面と下面を非平行面となすこともできる。
【００１１】
又、外周リブ４と内周リブ５の下端間に段差を設けることにより枠体２の下面に段部６が形成されている。該段部６は、上面の凸又は凹状の段部３に適合して凹又は凸状に形成されるものであって、下面での段差が上面での段差と略同等となされ、上面の段部３と互いに嵌合可能な形状となされている。
又、上記外周リブ４と内周リブ５との間にはリブ７が設けられ、中空状枠体２の補強をなしている。該リブ７は例えば図１に示す如く、周方向に沿って下面側に外周リブ４、内周リブ５と略平行する方向に複数設けられるとともに、これと直交する方向に外周リブ４と内周リブ５にわたって適宜間隔をおいて多数設けられる。
【００１２】
上記外周リブ４、内周リブ５と略平行な周方向に沿うリブ７のうち、主リブ７ａが、例えば図１（イ）乃至（ハ）及び（ホ）に示す如く、その上部外側を上面の凸状の段部３を形成する屈曲部３ａとなし、その下部内側を下面の凹状の段部６を形成する屈曲部６ａとなして設けられ、該両屈曲部３ａ，６ａを主リブ７ａの軸（図１（ホ）に破線で示す）内に位置せしめてなる。
又、上記図１に示す実施例では、同図（ホ）に示す如く、上記屈曲部３ａ，６ａの上端及び下端が主リブ７ａの軸内で段差面３ｂ，６ｂと連設している。即ち、主リブ７ａの上部が屈曲部３ａと各段差面３ｂによる段状に、下部が屈曲部６ａと各段差面６ｂによる段状になされる。そのために後述する如く、嵩上げブロック１の積み重ね時において、上側、下側の嵩上げブロック１の主リブ７ａどうしの連結面に水平面たる上記段差面３ｂ，６ｂが付加されて、主リブ７ａ軸内での屈曲部３ａ，６ａの凹凸嵌合が確実となり、安定且つ強固な構造が得られ好ましい。
【００１３】
図２に示す実施例では、同図（イ）に示す如く、上記図１の実施例と同様に、主リブ７ａの上部外側を上面の凸状の段部３を形成する屈曲部３ａとなし、その下部内側を下面の凹状の段部６を形成する屈曲部６ａとなして、該両屈曲部３ａ，６ａを主リブ７ａの軸（図２（イ）に破線で示す）内に位置せしめてなる。この実施例では、上記屈曲部３ａ，６ａの上端及び下端が主リブ７ａの内外の軸と略合致してなり段差面３ｂ，６ｂを有していない点で図１の実施例と異なる。
図３に示す実施例では、同図（ロ）に示す如く、主リブ７ａの上部内側を上面の凹状の段部３を形成する屈曲部３ａとなし、その下部外側を下面の凸状の段部６を形成する屈曲部６ａとなして、該両屈曲部３ａ，６ａを主リブ７ａの軸（図３（ロ）に破線で示す）内に位置せしめてなる。この実施例では、図１の実施例と同様に上記屈曲部３ａ，６ａの上端及び下端は主リブ７ａの軸内で段差面３ｂ，６ｂと連設している。
【００１４】
又、図４乃至図７に示す各実施例では、図１の実施例と同様に、主リブ７ａの上部外側を上面の凸状の段部３を形成する屈曲部３ａとなし、その下部内側を下面の凹状の段部６を形成する屈曲部６ａとなして、該両屈曲部３ａ，６ａを主リブ７ａの軸内に位置せしめてなり、上記屈曲部３ａ，６ａの上端及び下端は主リブ７ａの軸内で段差面３ｂ，６ｂと連設している。
尚、上記図１、図３乃至図７に示す各実施例において、上記屈曲部３ａ，６ａの上端又は下端の一方のみが主リブ７ａの軸内で段差面３ｂ，６ｂと連設してもよいし、又、図２乃至図７に示す各実施例において、リブ７は図１の実施例と同様に設けられればよい。
【００１５】
又、枠体２の上面には、周方向に沿って接着剤塗布用ノズル９の案内用の溝又は突条をなすガイド８が設けられていてもよく、嵩上げブロック１を上下に積み重ね、或いは嵩上げブロック１上に他ブロックを組積して固着一体化する使用時に、容易に接着剤を上面の所定位置、即ちガイド８の形成位置に塗布可能となされている。例えば図１に示す実施例ではガイド８は溝となされ、同図（ホ）、（ヘ）は断面Ｖ形溝、（ト）は断面Ｕ形溝、（チ）は断面凹形溝となされ、又、図７に示す実施例ではガイド８は突条となされ、同図（イ）、（ロ）は断面逆Ｖ形突条、（ハ）は断面逆Ｕ形突条、（ニ）は断面台形突条となされているが、その形状は上記のものに限定されず他の形状でもよい。
尚、図２乃至図４に示す各実施例においても、枠体２の上面に溝をなすガイド８が設けられている。
【００１６】
上記ガイド８は、枠体２の上面に連続して設けられると接着剤の塗布作業性やブロック相互間での接着性が向上し好ましいが、断続的に設けられてもよい。また、ガイド８の形成位置は、上面に塗布した接着剤を上段ブロックの積み重ね時に、該ブロックの自重により膜状に押し広げて内外両方向に按分して行き亘らせるべき位置となされていると、接着剤をムラなく均一な膜状にできるので接着性が向上して強度面で好ましいが、上面の任意位置であってもよい。尚、上記ガイド８は設けられるのが好ましいが、必ずしもなくてもよく、例えば図５及び図６（イ）、（ロ）に示す各実施例ではガイド８は設けられていない。
【００１７】
次に、本発明嵩上げブロック１どうしの積み重ね使用時について説明する。
まず、図１の如く嵩上げブロック１の上面のガイド８が溝をなす実施例では、例えば図８（イ）に示す如く、接着剤塗布用ノズル９の接着剤吐出口９ｂの縁部で突部をなすガイド９ａを下側の嵩上げブロック１上面のガイド８の内面に当接して該ガイド８の延設方向に沿って上記ノズル９を移動させることにより、上面に接着剤を塗布する。次いで上側の嵩上げブロック１を積み重ねて該ブロック１の自重により接着剤を膜状に押し広げて両者を固着一体化する。
この時、図１（リ）の如く、上側、下側の嵩上げブロック１の主リブ７ａどうしが、それぞれ上面、下面の段部３，６を形成する屈曲部３ａ，６ａ間で凹凸嵌合して上下に連続した状態、即ち、主リブ７ａどうしの軸（図１（リ）に破線で示す）が同軸状に連なるとともに、該軸内に位置する屈曲部３ａ，６ａの嵌合で、かかる主リブ７ａどうしが上下方向で直線状に連結された状態となり、安定且つ強固な構造が得られる。そのために、上方から荷重や衝撃力が加わっても上下に連続する主リブ７ａでこれを支持し、且つ偏心荷重を生じさせずに中心軸力として下方に伝達することができる。尚、図１（リ）においては上記膜状の接着剤は図示していない。
【００１８】
次に、例えば図７の如く嵩上げブロック１の上面のガイド８が突条をなす実施例では、例えば図８（ロ）に示す如く、接着剤塗布用ノズル９の接着剤吐出口９ｂの縁部で凹部をなすガイド９ａを下側の嵩上げブロック１上面のガイド８の外面に当接して該ガイド８の延設方向に沿って上記ノズル９を移動させることにより、上面に接着剤を塗布して上記と同様に嵩上げブロック１を積み重ねて両者を固着一体化する。この実施例でも嵩上げブロック１の積み重ね使用状態は、上記図１（リ）のガイド８が突条に置換されただけでその他は同様であり図示しないが、主リブ７ａどうしが段部３，６を形成する屈曲部３ａ，６ａ間で凹凸嵌合して上下方向で直線状に連続した状態となり、安定且つ強固な構造が得られる。
尚、嵩上げブロック１をなす枠体２の下面に突条のガイド８に対応する溝条が設けられていると、ガイド８と積み重ねた上側の嵩上げブロック１の下面が直接接触せず好ましいが、ガイド８の突出高さが低い場合や接着剤の膜厚によっては必ずしもこの溝条はなくてもよい。
【００１９】
又、図２及び図３に示す各実施例においても、接着剤を塗布後積み重ねて固着一体化する方法は上記と同様であり、しかも嵩上げブロック１の積み重ね使用状態についても、図２（ロ）及び図３（ハ）に示す如く、上記図１の実施例と同様に主リブ７ａどうしが段部３，６を形成する屈曲部３ａ，６ａ間で凹凸嵌合して上下に連続した状態、即ち、主リブ７ａどうしの軸（図２（ロ）及び図３（ハ）に破線で示す）が同軸状に連なるとともに、該軸内に位置する屈曲部３ａ，６ａの嵌合で、かかる主リブ７ａどうしが上下方向で直線状に連結された状態となり、安定且つ強固な構造が得られる。尚、図２（ロ）及び図３（ハ）においても上記膜状の接着剤は図示していない。
更に、図４乃至図６に示す各実施例においても、嵩上げブロック１の積み重ね使用状態は図示しないが、基本的に上記図１（リ）と同様に、主リブ７ａどうしが段部３，６を形成する屈曲部３ａ，６ａ間で凹凸嵌合して上下方向で直線状に連続した状態となり、安定且つ強固な構造が得られる。尚、図５乃至図６に示す各実施例においては、図中に主リブ７ａの軸を破線で示す。
【００２０】
尚、上記接着剤塗布に際して、接着剤塗布用ノズル９はそのガイド９ａが上面のガイド８に当接されて該ガイド８の延設方向に沿って摺動できればよく、ガイド９ａの形状、構造は上記実施例のものに限定されることなく、適宜形状、構造となされればよい。尚又、嵩上げブロック１の積み重ね使用に際し、相互間に接着剤を介在せしめて両者を固着一体化したが、接着剤を使用せずに上下の嵩上げブロック１を直積み状態で組積しても、上記主リブ７ａの構造特徴により何等問題はない。更に、嵩上げブロック１の使用に際し、上記各実施例においては嵩上げブロック１どうしを積み重ねたが、例えて図９に示す如くコンクリート等からなる通常の中実枠状のブロックが多段に組積されて構成される地中構造体の所望位置に当該嵩上げブロック１を単独使用できることはいうまでもない。更に又、主リブ７ａを除く他のリブ７も上記実施例のものに限定されることなく、中空状枠体２を補強すべく、該枠体２の大きさや所望強度等に応じて適宜設計変更されて形成されてもよい。
【００２１】
【発明の効果】
以上詳述した如く、本発明地中埋設枠用の嵩上げブロックは、外周リブと内周リブとの間で周方向に沿って略垂直状をなす主リブの上部外側又は内側を上面の凸又は凹状の段部を形成する屈曲部となし、又、主リブの下部内側又は外側を下面の凹又は凸状の段部を形成する屈曲部となして、該両屈曲部を主リブの軸内に位置せしめてなるために、上下に積み重ねて使用される際、上側、下側の嵩上げブロックの主リブどうしが、それぞれ上面、下面の段部を形成する屈曲部間で凹凸嵌合して上下に連続した状態、即ち、主リブどうしの軸が同軸状に連なるとともに、該軸内に位置する両屈曲部の嵌合で、かかる主リブどうしが上下方向で直線状に連結された状態となって、例え上方から荷重や衝撃力が加わっても上下に連続する主リブでこれを支持し、且つ偏心荷重を生じせしめず中心軸力として下方に伝達することができ、両屈曲部付近でせん断破壊等が生じない安定且つ強固な構造を得ることができる。
【００２２】
又、本発明地中埋設枠用の嵩上げブロックは、屈曲部の上端及び／又は下端が主リブの軸内で段差面と連設するようになされているので、上下に積み重ねて使用される際、上側、下側の嵩上げブロックの主リブどうしの連結面に水平面たる段差面が付加されて、主リブ軸内での屈曲部の凹凸嵌合が更に確実になるとともに、前記荷重の支持及び伝達作用も顕著となり、より一層安定且つ強固な構造を得ることができる。しかも、他のリブと異なり上記段差面と連設する分、主リブ自体の厚みを厚くしてその強度向上が図れる。
【００２３】
又、本発明地中埋設枠用の嵩上げブロックは、枠体の上面に周方向に沿って接着剤塗布用ノズル案内用の溝又は突条をなすガイドが設けられているので、使用時に嵩上げブロック上に組積されるブロックとの固着一体化に際し、下側の嵩上げブロックの上面に設けたガイドの延設方向に沿って接着剤塗布用ノズルを移動させる簡単な作業で所定位置に接着剤を正確に塗布して上側のブロックと下側の嵩上げブロックを容易に固着できる。
【図面の簡単な説明】
【図１】本発明嵩上げブロックの一実施形態を示し、（イ）の左半部は平面図、同右半部は底面図、（ロ）の左半部は正面図、同右半部は（イ）のＥ線断面図、（ハ）は（イ）のＡ部拡大図、（ニ）は（ハ）のＢ−Ｂ断面図、（ホ）は要部拡大断面図、（ヘ）は（ホ）のＣ部拡大図、（ト）、（チ）は他の溝のガイドを示す一部拡大断面図、（リ）は積み重ね使用状態を示す要部拡大断面図。
【図２】本発明嵩上げブロックの他実施形態を示し、（イ）は要部断面図、（ロ）は積み重ね使用状態を示す要部断面図。
【図３】本発明嵩上げブロックの他実施形態を示し、（イ）の左半部は正面図、同右半部は半截断面図、（ロ）は要部拡大断面図、（ハ）は積み重ね使用状態を示す要部拡大断面図。
【図４】本発明嵩上げブロックの他実施形態を示す断面図。
【図５】本発明嵩上げブロックの他実施形態を示す要部断面図。
【図６】（イ）及び（ロ）は本発明嵩上げブロックの他実施形態を示す要部断面図。
【図７】本発明嵩上げブロックの他実施形態を示し、（イ）は要部断面図、（ロ）は（イ）のＤ部拡大図、（ハ）、（ニ）は他の突条のガイドを示す一部拡大断面図。
【図８】（イ）、（ロ）は夫々本発明嵩上げブロックの接着剤塗布時を示す要部拡大説明図。
【図９】本発明嵩上げブロックの他の積み重ね使用状態を示す半截断面図。
【図１０】従来の嵩上げブロックの例を示し、（イ）は同ブロックの要部断面図、（ロ）は積み重ね使用状態を示す要部断面図。
【符号の説明】
１    嵩上げブロック
２    枠体
３，６    段部
３ａ，６ａ    屈曲部
３ｂ，６ｂ    段差面
４    外周リブ
５    内周リブ
７    リブ
７ａ  主リブ
８    ガイド
９    接着剤塗布用ノズル
【図１】
0003541358.tif 000002
【図２】
0003541358.tif 000003
【図３】
0003541358.tif 000004
【図４】
0003541358.tif 000005
【図５】
0003541358.tif 000006
【図６】
0003541358.tif 000007
【図７】
0003541358.tif 000008
【図８】
0003541358.tif 000009
【図９】
0003541358.tif 000010
【図１０】
0003541358.tif 000011